(57)【要約】【課題】収納性に優れ、且つコネクタの保護を図れるマウスを提供する。【解決手段】情報処理装置のポインティングデバイスとして用いられるマウス１であって、入力操作部６を有するマウス本体２と、一方側端部がマウス本体２に巻き取り可能に接続されるとともに、他方側端部に情報処理装置と接続するためのコネクタ３を有する接続ケーブル４と、コネクタ３を保護するための保護キャップ１１と、マウス本体２に設けられ、保護キャップ１１を収納する収納部１２とを有する。【選択図】  図１
2007206763.tif 000002
【特許請求の範囲】
【請求項１】
情報処理装置のポインティングデバイスとして用いられるマウスであって、
入力操作部を有するマウス本体と、
一方側端部が前記マウス本体に巻き取り可能に接続されるとともに、他方側端部に前記情報処理装置と接続するためのコネクタを有する接続ケーブルと、
前記コネクタを保護するための保護部材と、
前記マウス本体に設けられ、前記保護部材を収納する収納部と
を有することを特徴とするマウス。
【請求項２】
請求項１記載のマウスにおいて、
前記収納部は、前記保護部材とともに前記コネクタを収納可能であることを特徴とするマウス。
【請求項３】
請求項１又は２記載のマウスにおいて、
前記マウス本体は、前記入力操作部が設けられる表カバーとその反対側の裏カバーとを有し、
前記収納部は、前記裏カバー側に設けられていることを特徴とするマウス。
【請求項４】
請求項１乃至３のいずれか１項記載のマウスにおいて、
前記保護部材は、前記コネクタと係合する係合部を有することを特徴とするマウス。
【請求項５】
請求項４記載のマウスにおいて、
前記係合部は、操作用の段付形状を備えていることを特徴とするマウス。
【請求項６】
請求項１乃至５のいずれか１項記載のマウスにおいて、
前記保護部材は、前記接続ケーブルを案内する案内手段を有することを特徴とするマウス。
【請求項７】
請求項１乃至６のいずれか１項記載のマウスにおいて、
前記保護部材は、前記収納部に収納された際に前記マウス本体の輪郭の少なくとも一部を構成するように成形されていることを特徴とするマウス。
【請求項８】
請求項１乃至７のいずれか１項記載のマウスにおいて、
前記コネクタは操作用のグリップ部を有することを特徴とするマウス。
【発明の詳細な説明】
【技術分野】
【０００１】
本発明は、パーソナルコンピュータ等の情報処理装置のポインティングデバイスとして用いられるマウスに関する。
【背景技術】
【０００２】
ＧＵＩ(Graphical User Interface)環境の普及により、コンピュータの代表的なポインティングデバイスとしてマウスが多用されている。基本的なマウスは、手に持ち操作するマウス本体から接続ケーブルを延長し、この接続ケーブル端のコネクタによりコンピュータと接続する。通常、上記接続ケーブルは伸縮不能な固定長であり、狭い机の上では不要に延びた接続ケーブルが煩わしい場合がある。
【０００３】
このような背景から、接続ケーブルを伸縮可能にするマウスが提案されている（例えば、特許文献１及び２参照。）。この従来技術では、マウス本体内に接続ケーブル巻き取り用のリールを設けておき、このリールに接続ケーブルを巻き取ることで、接続ケーブルの長さを調節し、上記煩わしさの問題を解決している。
【０００４】
【特許文献１】特開平５−３０３４６９号公報
【特許文献２】実開平３−９０３４０号公報
【発明の開示】
【発明が解決しようとする課題】
【０００５】
上記従来技術においては、マウス本体内に設けたリールに接続ケーブルを巻き取ることにより、接続ケーブルの長さを調節可能とする。しかしながら、接続ケーブルについてはマウス本体内へ収納することはできても、コネクタについては収納されずにマウス本体外に突出して残るため、収納性が十分とは言えなかった。その結果、持ち運びの際に突出したコネクタが異物に衝突する等によってコネクタの破損、損傷等を招くおそれがあった。一方で、コネクタを保護するために、上記従来技術の構成においてコネクタにキャップ等の保護部材を設ける構成が考えられるが、この場合にはマウス本体からの突出部分がさらに大きくなるため、収納性のさらなる低下を招く結果となっていた。
【０００６】
本発明の目的は、収納性に優れ、且つコネクタの保護を図れるマウスを提供することにある。
【課題を解決するための手段】
【０００７】
上記目的を達成するために、第１の発明は、情報処理装置のポインティングデバイスとして用いられるマウスであって、入力操作部を有するマウス本体と、一方側端部が前記マウス本体に巻き取り可能に接続されるとともに、他方側端部に前記情報処理装置と接続するためのコネクタを有する接続ケーブルと、前記コネクタを保護するための保護部材と、前記マウス本体に設けられ、前記保護部材を収納する収納部とを有する。
【０００８】
接続ケーブルをマウス本体に巻き取り可能なマウスにおいては、マウス使用時には、マウス本体から接続ケーブルを引き出し、当該接続ケーブルの他方側端部に設けられたコネクタを情報処理装置に接続する。一方、マウスの非使用時（マウスを持ち運ぶ場合等）には、接続ケーブルをマウス本体に巻き取ることで接続ケーブルをマウス本体内に収納する。
【０００９】
このとき、本願第１発明においては、コネクタを保護するための保護部材を収納する収納部をマウス本体に設ける。これにより、マウスの非使用時（マウスを持ち運ぶ場合等）において接続ケーブルをマウス本体に巻き取った際に、保護部材を収納部に収納することができる。その結果、保護部材によりコネクタの保護を図りつつ、優れた収納性を発揮することができる。また、マウス使用時においては、コネクタから取り外した保護部材をマウス本体の収納部に収納しておくことで、保護部材の紛失を防止することができる。
【００１０】
第２の発明は、上記第１発明において、前記収納部は、前記保護部材とともに前記コネクタを収納可能であることを特徴とする。
【００１１】
これにより、マウスの非使用時（マウスを持ち運ぶ場合等）において接続ケーブルをマウス本体に巻き取った際に、保護部材とともにコネクタを収納部に収納することができる。その結果、優れた収納性を発揮でき、且つ保護部材を取り付けた状態でコネクタを収納部に収納すれば、コネクタの保護をも図ることができる。
【００１２】
第３の発明は、上記第１又は第２発明において、前記マウス本体は、前記入力操作部が設けられる表カバーとその反対側の裏カバーとを有し、前記収納部は、前記裏カバー側に設けられていることを特徴とする。
【００１３】
本願第３発明においては、マウス使用時にコネクタから取り外された保護部材が、マウス本体の裏カバー側に設けた収納部に収納される。これにより、保護部材の収納状態が、入力操作部が設けられるマウス本体表カバー側へ影響するのを防止でき、マウスの操作性が低下するのを防止することができる。また、マウス使用時又は非使用時において、保護部材が収納部に収納された状態がマウスの表カバー側に露出しないため、マウスの美観を損なうことがない。
【００１４】
第４の発明は、上記第１乃至第３発明のいずれかにおいて、前記保護部材は、前記コネクタと係合する係合部を有することを特徴とする。
【００１５】
これにより、係合部を介して保護部材をコネクタにしっかりと取り付けることができる。その結果、コネクタの保護を確実に図ることができる。
【００１６】
第５の発明は、上記第４発明において、前記保護部材は、操作用の段付形状を備えていることを特徴とする。
【００１７】
これにより、例えば使用者が保護部材をコネクタから取り外す際、保護部材の段付形状を利用して取り外し操作を円滑に行うことが可能となる。
【００１８】
第６の発明は、上記第１乃至第５発明のいずれかにおいて、前記保護部材は、前記接続ケーブルを案内する案内手段を有することを特徴とする。
【００１９】
マウス使用時には、収納部からコネクタ及び保護部材を取り出してマウス本体から接続ケーブルを引き出し、コネクタから保護部材を取り外した後、当該コネクタを情報処理装置に接続する。そして、取り外した保護部材を収納部に収納する。
【００２０】
このとき、本願第６発明においては、保護部材が接続ケーブルを案内する案内手段を有する。これにより、マウス使用時に保護部材を収納部に収納した状態でも、保護部材の案内手段により接続ケーブルを案内し、接続ケーブルをマウス本体から延出させることが可能となる。その結果、マウス使用時に、コネクタから取り外した保護部材をマウス本体の収納部に収納しておくことができ、保護部材の紛失を防止することができる。
【００２１】
また、例えばマウスを机上にて使用する場合に、マウスの裏カバーが机から浮いてしまい、そのときに接続ケーブルが裏カバーと机との間に挟まれることがあるが、本願第６発明においては、案内手段で接続ケーブルを案内することにより収納部内に収納されている状態を保持することが可能であるため、接続ケーブルが上記したように裏カバーと机との間に挟まれることを防止できる。これにより、裏カバーが接続ケーブルを踏みつぶしてマウスの操作性が低下するのを防止することができる。
【００２２】
第７の発明は、上記第１乃至第６発明のいずれかにおいて、前記保護部材は、前記収納部に収納された際に前記マウス本体の輪郭の少なくとも一部を構成するように成形されていることを特徴とする。
【００２３】
本願第７発明においては、マウス使用時に保護部材のみを収納部に収納した際に、マウス本体の輪郭をくずさず維持することができるので、マウスの操作性が低下するのを防止することができる。また、マウス使用時又は非使用時において、保護部材を収納部に収納した際に、マウス本体の輪郭をくずさず維持することができるので、マウスの美観を損なうことがない。
【００２４】
第８の発明は、上記第１乃至第７発明のいずれかにおいて、前記コネクタは操作用のグリップ部を有することを特徴とする。
【００２５】
これにより、例えば使用者がマウス使用時に収納部からコネクタを取り出す際、グリップ部を用いて取り出し操作を円滑に行うことが可能となる。
【発明の効果】
【００２６】
本発明によれば、優れた収納性を発揮でき、且つコネクタの保護を図ることができる。
【発明を実施するための最良の形態】
【００２７】
以下、本発明の一実施の形態を図面を参照しつつ説明する。なお、以下において、表側、裏側、前方側、後方側とは、マウスの上側（使用者の手により操作される側）、マウスの下側（例えば机やマウスパッド等、使用時にマウスが当接される側）、マウスの接続ケーブルが引き出される側、その反対側をそれぞれ指すものとする。
【００２８】
図１は本実施形態のマウスの全体構造を表す斜視図であり、図２はその側面図、図３は裏側から見た下面図である。
【００２９】
これら図１、図２及び図３において、本実施形態のマウス１は、マウス本体２と、一方側端部がマウス本体２に巻き取り可能に接続されるとともに、他方側端部に図示しないパーソナルコンピュータ等の情報処理装置と接続するためのコネクタ３を有する接続ケーブル４等とから構成されている。
【００３０】
マウス本体２は、当該マウス本体２の表側上部に設けられた上面カバー２Ａ（表カバー）と、マウス本体２の表側外周部に設けられた側面カバー２Ｂと、マウス本体２の裏側に設けられた下面カバー２Ｃ（裏カバー）とを有している。上面カバー２Ａの前方側には、その幅方向略中央部に切り込み５が設けられており、この切り込み５によりその両側に一対の入力操作部６，６が形成されている。すなわち、これら入力操作部６，６は、上面カバー２Ａの一部を構成している。そして、これら入力操作部６，６が使用者の指で押圧されると、マウス本体２の内側方向に弾性変形し、その結果、上面カバー２Ａの内側に設けられた図示しない接点が閉成されるようになっている。また、上記切り込み５の途中には、回転可能に支持されたホイール７が設けられている。
【００３１】
マウス本体２の内部には、接続ケーブル４を巻き取り可能なリール１０が設けられている（図２参照）。このリール１０は、図示しない例えばゼンマイ等のばね部材により、接続ケーブル４を巻き取る回転方向に付勢されている。すなわち、接続ケーブル４がリール１０に巻き取られマウス本体２に収納された状態から当該接続ケーブル４を引き出すと、リール１０が回転してばね部材が巻かれる。このとき、接続ケーブル４の引っ張りを緩めても、図示しないストッパによりリール１０の回転が阻止されるため、接続ケーブル４はマウス本体２に引き込まれずそのまま保持される。そして、図示しない適宜の操作手段（例えば解除ボタン等）を操作することにより、ストッパが解除されてリール１０の回転が自由となり、ばね部材の付勢力によってリール１０が接続ケーブル４を巻き取る方向に回転する。これにより、接続ケーブル４が巻き取られてマウス本体２に収納される。
【００３２】
マウス本体２の上記下面カバー２Ｃの前方側には、その幅方向略中央位置よりやや一方側（図３中下側）に偏った位置に、コネクタ３と当該コネクタ３を保護する保護部材としての保護キャップ１１（図１及び図３参照）とを収納可能な収納部１２が設けられている。この収納部１２は、下面カバー２Ｃから側面カバー２Ｂの前方側にかけて切り欠くように形成されており、収納されたコネクタ３及び保護キャップ１１を前方側（図３中右側）にスライドさせて取り出すことが可能なようになっている。また、上記リール１０に巻き取られた接続ケーブル４がマウス本体２から引き出される際には、この収納部１２を介して引き出されるようになっており、反対に接続ケーブル４がリール１０に巻き取られマウス本体２内に引き込まれる際には、この収納部１２を介して引き込まれるようになっている。一方、下面カバー２Ｃの略中央部には、マウス本体２内に設けられる図示しない発光器及び受光器によりマウス１の移動の量・方向・速度を光学的に読み取るための開口１３が穿設されている。
【００３３】
コネクタ３は、金属製の端子部８と、この端子部８を樹脂材料等により被覆した把持部９とから構成されている。把持部９の一方側（図２中下側、図３中紙面手前側）の面９ａ及び両側面９ｂ,９ｂには、複数の凹部又は凸部からなるグリップ部１５（図２、図３及び後述の図５も参照）がそれぞれ設けられている。このような構成のコネクタ３は、収納時に上記一方側の面９ａに設けたグリップ部１５がマウス本体２の裏側に向かって露出するように、面９ａがマウス１の裏側方向を向く姿勢で収納部１２内に収納される（後述の図６（ａ）及び（ｂ）参照）。
【００３４】
なお、以上の図１乃至図３には、マウス１の使用状態、すなわち、マウス本体２の収納部１２からコネクタ３及び保護キャップ１１を取り出し、接続ケーブル４をマウス本体２から引き出した後、コネクタ３から取り外した保護キャップ１１を再度収納部１２内に収納した状態が図示されている。
【００３５】
図４は、保護キャップ１１の詳細構造を表す斜視図である。この図４において、保護キャップ１１は、断面略長方形形状の筒体であり、コネクタ３の端子部８と係合する段付形状の係合部１６と、この係合部１６と一体的に接続され、係合部１６よりも肉厚に形成された本体部１７とから構成されている。これら係合部１６及び本体部１７の一方側（図４中上側）の面１６ａ,１７ａには、略筒軸方向に切り欠くように溝部１８（案内手段）が形成されている。これにより、マウス使用時において保護キャップ１１のみが収納部１２内に収納された際に、接続ケーブル４を溝部１８内に挿通させる（言い換えれば溝部１８で接続ケーブル４を案内する）ことで、接続ケーブル４が収納部１２内に収納されている状態を保持することができ、且つ接続ケーブル４をマウス外部に延出させることが可能となっている（図１及び図３参照）。なお、保護キャップ１１の強度を確保するために、溝部１８の本体部１７側の一部分には溝の底に当たる位置に底板部１９が設けられている。
【００３６】
本体部１７の両側面１７ｂ,１７ｂには、本体部１７の側面方向に弾性変形可能な係合片２０,２０がそれぞれ設けられている。これらの係合片２０，２０は、保護キャップ１１が収納部１２内に収納された際に、収納部１２内の上記係合片２０，２０と対応する位置に設けられた係合孔（図示せず）と係合する。これにより、保護キャップ１１は収納部１２内に収納された際に固定されるようになっている。
【００３７】
また、本体部１７の係合部１６と反対側の端面１７ｃは、マウス本体２の輪郭形状に合わせて一方側（図４中紙面手前側）から他方側（図４中紙面奥側）に向かって略円弧状に形成されるとともに、その円弧に沿うように段部２１が設けられている。このような形状とすることにより、保護キャップ１１が収納部１２内に収納された際に、前述した図３に示すように当該保護キャップ１１（本体部１７）がマウス本体２の輪郭の一部を構成するようになっている。
【００３８】
図５は、上記構成である保護キャップ１１をコネクタ３に取り付ける際の取り付け方向を説明するための図である。この図５は、収納部１２内に収納されたコネクタ３をマウス裏側から見た状態を示しており（但し収納部１２等は図示省略）、前述したように、コネクタ３はグリップ部１５が設けられた一方側の面９ａがマウス１の裏側方向（図５中上側方向）を向く姿勢で収納部１２内に収納される。そして、保護キャップ１１の溝部１８と反対側に位置する面１７ｄと、上記コネクタ３の一方側の面９ａとが同じ方向を向くようにして、保護キャップ１１の係合部１６とコネクタ３の端子部８とが係合され、これにより保護キャップ１１がコネクタ３に取り付けられる。
【００３９】
図６は、マウス非使用時（マウスを持ち運ぶ場合等）の状態からマウスを使用するまでに行われる操作手順を表す図である。
【００４０】
図６（ａ）は、マウス非使用時（マウスを持ち運ぶ場合等）の状態を示しており、コネクタ３は保護キャップ１１が取り付けられた状態でマウス本体２の収納部１２内に収納されている。
【００４１】
この状態からマウス１を使用する際には、まず、図６（ｂ）に示すように、マウス裏面に露出したグリップ部１５を用いてコネクタ３を保護キャップ１１と共に前方方向（図６中上方向）にスライドさせ、コネクタ３及び保護キャップ１１を収納部１２から取り出す。そして、接続ケーブル４を必要な長さ分だけ収納部１２を介してマウス本体２から引き出す。
【００４２】
次に、図６（ｃ）に示すように、保護キャップ１１の係合部１６の段付形状を操作して（把持して）保護キャップ１１をコネクタ３から取り外す。
【００４３】
そして、図６（ｄ）に示すように、保護キャップ１１のみを収納部１２内に収納する。このとき、引き出された接続ケーブル４が保護キャップ１１の溝部１８内を通るように、保護キャップ１１を収納する。
【００４４】
その後、コネクタ３を図示しないパーソナルコンピュータ等の情報処理装置に接続し、マウス１を使用する。すなわち、使用者が入力操作部６をクリック又はホイール７を回転させることにより、図示しない情報処理装置のディスプレイ上のカーソルやポインターの位置を制御する信号が、このマウス１の前方側から延出した接続ケーブル４を介して上記情報処理装置に伝達される。
【００４５】
なお、上記マウス使用時の状態からマウス非使用状態にする場合は、上述した手順を逆に行えば足りる。
【００４６】
また、上記では、保護キャップ１１を取り付けた状態でコネクタ３及び保護キャップ１１を収納部１２から取り出し、その後保護キャップ１１をコネクタ３から取り外すようにしたが、これに限られず、コネクタ３が収納部１２内に収納された状態において係合部１６の段付形状を用いて保護キャップ１１をコネクタ３から取り外し、その後、コネクタ３を収納部１２から取り出すようにしてもよい。この場合、コネクタ３を収納部１２に収納する際には、保護キャップ１１を取り付けない状態でコネクタ３を収納部１２に先に収納し、その後保護キャップ１１を取り付けることになる。
【００４７】
次に、本実施形態の作用効果を説明する。
【００４８】
本実施形態のマウス１においては、マウス使用時には、マウス本体２から接続ケーブル４を引き出し、当該接続ケーブル４の他方側端部に設けられたコネクタ３を図示しない情報処理装置に接続する。一方、マウス非使用時（マウスを持ち運ぶ場合等）には、接続ケーブル４をマウス本体２に巻き取り、接続ケーブル４をマウス本体２内に収納する。
【００４９】
このとき、前述したように、保護キャップ１１を収納する収納部１２をマウス本体２に設ける。これにより、マウス非使用時（マウスを持ち運ぶ場合等）において接続ケーブル４をマウス本体２に巻き取った際に、前述の図６（ａ）に示すように、保護キャップ１１を取り付けた状態でコネクタ３を収納部１２内に収納することができる。その結果、マウス１はコネクタ３や保護キャップ１１を突出させることなく優れた収納性を発揮でき、且つ、保護キャップ１１を取り付けた状態で収納することからコネクタ３の保護をも十分に図ることができる。また、マウス使用時においては、前述の図６（ｄ）に示すように、コネクタ３から取り外した保護キャップ１１をマウス本体２の収納部１２内に収納しておくことで、保護キャップ１１の紛失を防止することができる。
【００５０】
また、本実施形態では特に、収納部１２をマウス１の裏側に設ける。これにより、前述の図６（ｄ）に示すように、マウス使用時に保護キャップ１１がマウス本体２の裏側にて収納部１２内に収納されることになり、入力操作部６やホイール７が設けられるマウス本体２の表側への影響をなくし、マウス１の操作性が低下するのを防止することができる。また、このように収納部１２をマウス１の裏側に設けることにより、マウス使用時において保護キャップ１１のみが収納部１２内に収納された状態や、マウス非使用時において保護キャップ１１を取り付けた状態でコネクタ３及び保護キャップ１１が収納部１２内に収納された状態が、マウス１の表側に露出しないため、マウス１の美観を損なうことがない。
【００５１】
また、本実施形態では特に、保護キャップ１１が、コネクタ３の端子部８と係合する係合部１６ｂを有する構成とする。これにより、当該係合部１６ｂを介して保護キャップ１１をコネクタ３にしっかりと取り付けることができる。その結果、コネクタ３の保護を確実に図ることができる。
【００５２】
また、本実施形態では特に、保護キャップ１１に接続ケーブル４を案内するための溝部１８を設ける。これにより、前述の図６（ｄ）に示すように、マウス使用時に保護キャップ１１のみを収納部１２内に収納した状態でも、溝部１８内を挿通させて接続ケーブル４をマウス本体２から延出させることができる。また、例えばマウス１を机上にて使用する場合に、マウス１の下面カバー２Ｃが机から浮いてしまい、そのときに接続ケーブル４が下面カバー２Ｃと机との間に挟まれることがあるが、本実施形態においては、溝部１８で接続ケーブル４を案内することにより当該接続ケーブル４が収納部１２内に収納されている状態を保持することができるため、接続ケーブル４が上記したように下面カバー２Ｃと机との間に挟まれることを防止できる。これにより、下面カバー２Ｃが接続ケーブル４を踏みつぶしてマウス１の操作性が低下するのを防止することができる。
【００５３】
また、本実施形態では特に、保護キャップ１１の端面１７ｃを円弧状に形成するとともに段部２１を設けることにより、前述の図６（ａ）及び図６（ｄ）に示すように、保護キャップ１１が収納部１２内に収納された際にマウス本体２の輪郭の一部を構成するようにする。これにより、マウス使用時にコネクタ３から取り外した保護キャップ１１のみを収納部１２内に収納した際に、マウス本体２の輪郭をくずさず維持することができるので、マウス１の操作性が低下するのを防止することができる。また、上記マウス使用時に保護キャップ１１のみを収納部１２内に収納した際や、マウス非使用時に保護キャップ１１を取り付けた状態でコネクタ３及び保護キャップ１１を収納部１２内に収納した際に、マウス本体２の輪郭をくずさず維持することができるので、マウスの美観を損なうことがない。
【００５４】
また、本実施形態では特に、保護キャップ１１の係合部１６が段付形状を有することにより、前述の図６（ｃ）に示すように、使用者が保護キャップ１１をコネクタ３から取り外す際、容易に取り外し操作を円滑に行うことができる。
【００５５】
また、本実施形態では特に、コネクタ３の把持部９の一方側の面９ａにグリップ部１５を設ける。これにより、使用者がマウス使用時に収納部１２からコネクタ３をスライドさせて取り出す際、グリップ部１５を用いて取り出し操作を円滑に行うことができる。また、コネクタ３の把持部９の両側面９ｂ,９ｂにもグリップ部１５を設ける、これにより、コネクタ３を把持する際のグリップ性を向上でき、コネクタ３の情報処理装置への接続作業等を円滑に行うことができる。
【００５６】
なお、以上では、入力操作部がカバーと一体的な構成であるマウスに本発明を適用した例を説明したが、これに限られず、入力操作部がカバーと別個独立して設けられたマウスに対しても適用可能である。また、以上はホイールを備えたマウスに本発明を適用した例を説明したが、ホイールを備えないタイプのマウスに対しても適用可能である。
【００５７】
また、以上では、マウス本体２内に発光器と受光器を備え、マウスの移動の量・方向・速度を光学的に読み取る光学式マウスに本発明を適用した例を説明したが、これに限られない。すなわち、例えばトラックボールが回転するのを読み取って移動を検出するトラックボール式のマウスや、レーザを検出するレーザ式マウス等、パーソナルコンピュータ等の情報処理装置との接続にケーブルを用いるタイプのマウスであれば、適用可能である。
【００５８】
その他、一々例示はしないが、本発明は、その趣旨を逸脱しない範囲内において、種々の変更が加えられて実施されるものである。
【図面の簡単な説明】
【００５９】
【図１】本発明の一実施形態のマウスの全体構造を表す斜視図である。
【図２】本発明の一実施形態のマウスの全体構造を表す側面図である。
【図３】本発明の一実施形態のマウスの全体構造を表す下面図である。
【図４】保護キャップの詳細構造を表す斜視図である。
【図５】保護キャップをコネクタに取り付ける際の取り付け方向を説明するための図である。
【図６】マウス非使用時の状態からマウスを使用するまでに行われる操作手順を表す図である。
【符号の説明】
【００６０】
１          マウス
２          マウス本体
２Ａ        上面カバー（表カバー）
２Ｃ        下面カバー（裏カバー）
３          コネクタ
４          接続ケーブル
６          入力操作部
１１        保護キャップ（保護部材）
１２        収納部
１５        グリップ部
１６        係合部
１８        溝部（案内手段）
【図１】
2007206763.tif 000003
【図２】
2007206763.tif 000004
【図３】
2007206763.tif 000005
【図４】
2007206763.tif 000006
【図５】
2007206763.tif 000007
【図６】
2007206763.tif 000008